(57)【要約】【課題】多層光ディスクや高密度光ディスクを製造する際は、各記録層の反射率や板厚などを従来よりも厳格に管理しなければならず、ディスクメーカーに過大な負荷が生じることが想定される。また、再生条件がディスクに記録されていても、光ディスク装置がその条件を読み出す時点においては適正な条件の下で再生できず、記録された再生条件自体を読み取ることができないことが懸念される。この課題を解消することが本発明の目的である。【解決手段】ディスクの最適再生条件（例えば再生レーザパワーなど）をディスク上の一意に定められた再生条件で再生可能となる領域に記録し、その記録された再生条件を一意に定められた再生条件で光ディスク装置が読み取り、データ再生時に設定することで再生可能となる光ディスクを提供する。【選択図】  図１
2011198444.tif 000002
【特許請求の範囲】
【請求項１】
１つ以上の記録層を備えた光ディスクであって、
一意に定められた第１の再生条件で再生可能となる第１のデータ記録領域と、
第２の再生条件で再生可能となる第２のデータ記録領域を備え、
前記第1のデータ記録領域に前記第２の再生条件が記録されている
ことを特徴とする光ディスク。
【請求項２】
請求項１に記載の光ディスクであって、
前記再生条件は、レーザの発光パワーであることを特徴とする光ディスク。
【請求項３】
請求項１に記載の光ディスクであって、
前記再生条件は、
光ディスクから読み出された再生信号を処理する際に用いるイコライザのゲイン値である
ことを特徴とする光ディスク。
【請求項４】
請求項１に記載の光ディスクであって、
前記再生条件は、
再生信号検出手段であるＰＲＭＬ（Ｐａｒｔｉａｌ−Ｒｅｓｐｏｎｓｅ Ｍａｘｉｍｕｍ−Ｌｉｋｅｌｉｈｏｏｄ）のビタビ復号の基準レベル値であることを特徴とする光ディスク。
【請求項５】
請求項１に記載の光ディスクであって、
前記第１のデータ記録領域として、ＢＣＡ（Ｂｕｒｓｔ Ｃｕｔｔｉｎｇ Ａｒｅａ）領域、またはＰＩＣ（Ｐｅｒｍａｎｅｎｔ Ｉｎｆｏｒｍａｔｉｏｎ ＆ Ｃｏｎｔｒｏｌ ｄａｔａ）領域を用いたことを特徴とする光ディスク。
【請求項６】
請求項１に記載の光ディスクであって、
前記第１のデータ記録領域は、第２のデータ領域よりも反射率が高い領域であることを特徴とする光ディスク。
【請求項７】
請求項１に記載の光ディスクであって、
前記第１のデータ記録領域は、第２のデータ領域よりも記録密度が低い領域であることを特徴とする光ディスク。
【請求項８】
請求項１に記載の光ディスクであって、
前記第２のデータ記録領域は、再生条件が異なる複数のデータ記録領域を有し、
前記複数のデータ記録領域にそれぞれ対応した複数の前記第２の再生条件が前記第１のデータ記録領域に記録されている
ことを特徴とする光ディスク。
【請求項９】
光ディスクを再生可能な光ディスク装置であって、
レーザ光を光ディスクに向けて照射する光ピックアップと、
前記光ピックアップから照射するレーザ光を制御するレーザ制御部と、
前記光ディスクから得られた再生信号を処理する再生信号処理部と、
前記光ピックアップ、前記レーザ制御部、前記再生信号処理部を制御するシステム制御部と、
を備えており、
前記光ディスクは、一意に定められた第１の再生条件で再生可能となる第１のデータ記録領域と、第２の再生条件で再生可能となる第２のデータ記録領域を備え、前記第1のデータ記録領域に前記第２の再生条件が記録されており、
前記システム制御部は、前記第１のデータ記録領域に記録されている前記第２の再生条件を、前記第１の再生条件を用いて読み出し、読み出した前記第２の再生条件を前記レーザ処理部及び/または前記再生信号処理部に設定するよう制御を行うことを特徴とする光ディスク装置。
【発明の詳細な説明】
【技術分野】
【０００１】
本発明は、データの記録再生を行う光ディスク及び光ディスク装置に関する。
【背景技術】
【０００２】
前もって情報担体を分析することにより得られたリミットイコライザの最適ゲイン値をその情報担体上に記憶させておき、この値をディスク装置が読み出し、再生する際に設定することが下記特許文献１に記載されている。
【先行技術文献】
【特許文献】
【０００３】
【特許文献１】特表２００８−５２１１５５
【発明の概要】
【発明が解決しようとする課題】
【０００４】
一般に光ディスクは、適正にデータが再生される条件を、ディスク規格にて定めている。例えばデータが記録される記録層を１つ有する単層、追記型のＢｌｕ−ｒａｙ  Ｄｉｓｃ（ＢＤ−Ｒ）においては、ディスクからデータを読み出す際に照射するレーザの発光パワーを０．３５ｍＷ、ディスクから読み出した再生信号を処理するイコライザのゲイン値を７ｄＢとした場合に適切にデータが再生されるようディスク規格にて定めている。
【０００５】
したがって、ディスクメーカーは、ＢＤ−Ｒを製造する場合は、ディスク規格に定められた再生条件でデータが適正に再生される特性のディスクを製造する必要がある。
【０００６】
このようにディスク規格にしたがってディスクが製造されることで、光ディスク装置では、ＢＤ−Ｒディスクを再生する際に、ディスク規格に定められた再生条件を適用することで、適正にデータを再生することができるようになる。
【０００７】
しかし、今後光ディスクの大容量化が進み、記録層が多層化/高密度化するにつれて、各記録層の反射率や板厚誤差などが再生性能に与える影響はさらに大きくなると考えられる。この影響を最小限に抑えるためには、各記録層の品質を厳重に管理しなければならないため、ディスクメーカーに過大な負荷が生じることが予想される。
【０００８】
また、このように品質管理が困難となる多層ディスクや高密度ディスクからデータを再生する際には、例えば特許文献１に記載されているように再生条件がディスクに記録されていても、その条件を読み出す時点においては適正な条件の下で再生できず、記録された再生条件自体を読み取ることができないことが懸念される。
【０００９】
本発明は上記課題を解消し、ディスクメーカーがディスクを製造する際に生じる負荷を低減することができ、かつディスクに記録されたデータを品質良く読み出すことが可能となる光ディスクを提供することを目的とする。
【課題を解決するための手段】
【００１０】
上記課題は、一例として、特許請求の範囲に記載の発明により解決される。
【発明の効果】
【００１１】
本発明によれば、上記課題が解決され、ディスクメーカーは、本発明によりディスクの仕様が緩和され、多層ディスクや高密度ディスクを容易に製造することができる。また、光ディスク装置は最適再生条件をディスクから読み取ることによって、各記録層に記録されたデータを品質良く読み出すことが可能となる。
【図面の簡単な説明】
【００１２】
【図１】再生レーザパワーに対する光ディスクの再生品質特性の一例を示す図である。
【図２】本発明の光ディスクの構成例を示す図である。
【図３】本発明の光ディスクのパワー管理領域の例を示す図である。
【図４】本発明の光ディスクを再生するための光ディスク装置の構成例を示すブロック図である。
【図５】光ディスク装置のセットアップ処理を示すフローチャートである。
【図６】光ディスク装置の再生処理を示すフローチャートである。
【発明を実施するための形態】
【００１３】
まず、図１を用いて本発明に従う光ディスクの一実施例について説明する。
【００１４】
図１は、再生レーザパワーに対する光ディスクの再生品質特性の一例を示したものである。図１において、横軸１０１はデータを読み出す際に設定する再生レーザパワーを表している。縦軸１０２は光ディスクに記録されたデータを再生した際の品質指標値（例えば再生エラー数など）を表しており、下方に行くにしたがって再生品質が良好であることを示している。直線１０３は記録されたデータが再生可能となる再生品質指標の基準値を表しており、この基準値を満たせばディスクからデータを読み出すことができることを示している。曲線１０４、１０５は光ディスクの再生品質特性を表しており、特性１０４においては再生レーザパワーＰ０、特性１０５においては再生レーザパワーＰ１で最も再生品質が良好となることを示している。以降、Ｐ０、Ｐ１のように再生品質が最良となる再生レーザパワーを最適パワーと呼ぶ。
【００１５】
本実施例の光ディスクは、例えば光ディスクが１０４を持って示す特性であれば最適パワーＰ０をディスク上に記録し、例えば光ディスクが１０５を持って示す特性であれば最適パワーＰ１をディスク上に記録しておくことが特徴である。また、これら最適パワーを記録する領域は、一意に定められた再生レーザパワーで再生できる領域とすることも特徴である。以降、この最適パワーを記録する領域をパワー管理領域と呼び、一意に定められたこの領域を再生するためのレーザパワーを管理データパワーと呼ぶ。
【００１６】
本発明のディスクを製造するディスクメーカーは、ディスクの再生品質特性を解析して最適パワーを求め、そのパワーをあらかじめパワー管理領域に記録しておく。一方で光ディスク装置は、本発明のディスクが挿入された際、管理データパワーを用いてパワー管理領域に記録されている最適パワー情報を読み出し、読み出した最適パワーをディスク上の各領域を再生する際に設定してデータを再生する。
本発明によれば、ディスクの仕様として最適パワーをディスク上に記録するようにするため、ディスクメーカーはディスクの特性を一意に規定する必要がなく、ディスク製造時に生じるディスクの特性ばらつきに対する制約が緩和され、ディスクを容易に製造することが可能となる。また、光ディスク装置は、最適パワーが記録された領域を管理データパワーで再生することにより、ディスクの特性によらず最適パワーを確実に読み取ることができるようになり、ディスクから最適パワーを読み取ることができない問題は解消される。
【００１７】
また、ディスクメーカー毎、あるいは多層ディスクの各層毎の記録膜の組成の違いなどによって、再生レーザパワーに対する耐力（再生光耐性）が異なるが、例えば、再生光耐性が強いディスクあるいは層では、所定回数以上再生可能となる規格値より高いパワーを最適パワーとして設定することにより、再生品質を向上し、信頼性を向上することが可能となる。
【００１８】
なお、図１の基準値１０３は、例えばデータと共に記録されているエラー訂正符号によってエラーが十分に訂正可能となるようなレベルであればよい。また、ディスクの再生品質特性の測定方法については、従来の光ディスク装置において一般に用いられている再生データのエラーレート、ジッタ等を測定すればよい。
【００１９】
本実施例では、再生レーザパワーを例にして本発明の光ディスクの特長を説明したが、これは一例であり、再生信号処理に用いるイコライザのゲイン値などでもかまわない。あるいは、ディスクから得られた再生信号検出方法であるＰＲＭＬ（Ｐａｒｔｉａｌ−Ｒｅｓｐｏｎｓｅ Ｍａｘｉｍｕｍ−Ｌｉｋｅｌｉｈｏｏｄ）に含まれるビタビ復号器の基準レベル値（たとえばＰＲ（１，２，２，２，１））でもよい。ＰＲＭＬについては既知の技術であるためここでの説明は省略する。
【００２０】
以下、本発明の実施の形態について図面を参照しながら説明する。
【００２１】
本発明の光ディスクは、例えば図２に示すような光ディスクの構成をもって実現することができる。
【００２２】
図２は記録層を３層有する本発明の光ディスクの構成例を示す図である。ディスク表面側から各記録層をＬ０，Ｌ１，Ｌ２とする。光ディスク２０１は、内周側から、ＢＣＡ（Ｂｕｒｓｔ Ｃｕｔｔｉｎｇ Ａｒｅａ）領域２０２、第１の管理データ領域２０３、ユーザデータ領域２０４，第２の管理データ領域２０５を有する。
【００２３】
ＢＣＡ領域２０２はディスク製造直後にデータを記録するための領域であり、例えば該ディスクの識別データなどが記録される。ユーザデータ領域２０４は、ユーザデータが書き込まれる領域であり、音声映像データなどが記録される。また、管理データ領域２０３、２０５は、光ディスク装置が管理するデータが書き込まれる領域であり、データ記録条件やディスクの欠陥管理情報などが記録される。
【００２４】
ＢＣＡ領域２０２は一般的にバーコードでデータが記載され、他の領域とは独立した記録密度となっている。これらはディスク製造後にＹＡＧレーザと呼ばれる強力な赤外線レーザにより反射膜を焼き切ることなどにより記録される。この領域はデータ記録密度が低く、光ディスク装置にとって再生が容易なフォーマットを有する。光ディスク装置がＢＣＡの半径位置で記録層へフォーカシングサーボを行うと、光ディスクからの反射光レベルは強弱を繰り返すバーコードデータとなる。このバーコードデータがすなわちＢＣＡコードである。このようにＢＣＡコードを読み出すためにはフォーカシングサーボのみが行われていればよく、トラッキングサーボは不要である。
【００２５】
このようにＢＣＡ領域２０２は、他の領域とは独立した再生条件を持っており、この再生条件はディスクの特性によらず一意に定められていると言える。したがって、本発明の光ディスクにおいては、例えばＢＣＡ領域２０２をパワー管理領域とし、Ｌ０，Ｌ１，Ｌ２の最適パワーをこの領域に記録する。
【００２６】
なお、ディスクに記録する最適パワーには、全記録層の各記録領域それぞれに対応した最適パワーが全て含まれていることが好ましい。また、パワー管理領域は、いずれか１つの記録層のみ存在することがアクセス上効率的であるが、これは一例であり、複数層にそれぞれ設けても構わない。また、ディスクの内周から外周までのどこに設けても構わない。
【００２７】
図３は、本実施例の光ディスクにおけるパワー管理領域の例を示している。例えばＢＤ−Ｒのような従来のディスク構成においては、（ａ）のＢＣＡ領域、または（ｂ）のＰＩＣ（Ｐｅｒｍａｎｅｎｔ Ｉｎｆｏｍａｔｉｏｎ ＆ Ｃｏｎｔｒｏｌ ｄａｔａ）領域が挙げられる。（ａ）のＢＣＡ領域は、前述したようにバーコードでディスク識別データなどが記録される領域である。（ｂ）のＰＩＣ領域は、ＢＤ−Ｒにおける管理データ領域であり、例えば高周波グルーブ（矩形波状の溝）で形成されている。この領域はディスク製造時にスタンパ等によりデータ領域のウォブル状の溝と同様に形成され、ディスク製造時にあらかじめ定められた記録条件などが記録される。これら（ａ）、（ｂ）の領域のように、パワー管理領域は他の領域よりも記録密度が低く再生が容易となる領域とすることが望ましい。あるいは、（ｃ）のように他の領域よりもウォブル周波数が低い溝で形成された領域を設けるなどして、他の領域よりもデータ密度を低くしてもよい。また、（ｄ）のようにデータ領域と密度が同じであっても他の領域より反射率が高い領域としてもよい。（ｄ）のような領域をパワー管理領域とすれば、例えば記録層が１０層以上存在する多層ディスクを再生する際に光ディスク装置が最適パワーを読み出す場合においても良好なＳ／Ｎ比を得ることができる。
【００２８】
本発明にかかる光ディスクを再生するにあたり、一般的な光ディスク装置に特別な機能を付加する必要はなく、例えば図４に示すような従来の光ディスク装置の構成をもって、ローディング時やデータ再生時の処理を工夫することにより再生することができる。
【００２９】
図４において４０１は光ディスク、４０２は光ピックアップ、４０３はレーザ制御部、４０４は再生信号処理部、４０５はスピンドル制御部、４０６はサーボ制御部、４０７はシステム制御部、４０８は記憶部である。光ディスク４０１は本発明における光ディスクを示しており、光ディスク４０１内に示す４０９は光ディスク４０１の最適パワーがあらかじめ記録されているパワー管理領域を示している。記憶部４０８には、例えばメモリを用いる。
【００３０】
まず光ディスク装置の基本的な再生処理について図４を用いて説明する。
【００３１】
光ディスク４０１のデータ再生処理が開始されると、システム制御部４０７はスピンドル制御部４０５とサーボ制御部４０６を制御し、光ディスク４０１を回転させ光ピックアップ４０２を再生開始位置に位置付けた後、光ピックアップ４０２上にある光ヘッド上のレーザが所望の再生パワーで発光するようにレーザ制御部４０３を制御する。レーザ制御部４０３は、所望の再生パワーで発光するレーザビームを照射する。この照射されたレーザビームの光スポットは、光ディスク４０１からデータを再生すべき位置に集光されるようになる。光ディスク４０１に照射されたレーザビームの反射光は、光ピックアップ４０２の受光素子などにより電気信号に変換される。光ピックアップ４０２から出力された電気信号は再生信号処理部４０４に送られ、信号振幅の調整などのアナログ信号処理後、２値化処理などによるデジタル信号処理が施された上で、０，１のビット列であるデジタルデータに変換される。このようにしてデータの再生処理は行われる。
【００３２】
本実施例では、挿入されたディスクに対するセットアップ処理時に、管理データパワーを用いてディスク上のパワー管理領域から最適パワーを読み出し、読み出した最適パワーを、各領域を再生する際に適用することにより、良好な再生品質を得ることが可能となる。
【００３３】
図５は、本実施例におけるセットアップ処理の流れの一部を示すフローチャートである。光ディスク４０１のセットアップ処理が開始されると、まずシステム制御部４０７は、レーザ制御部４０３を制御することにより、パワー管理領域４０９を再生する際の管理データパワーを設定する（Ｓ５０１）。そして、前述した再生処理により、領域４０９を再生する（Ｓ５０２）。領域４０９から読み取ったデータの中には、光ディスク４０１を再生するための最適パワーが含まれており、システム制御部４０７は取得したこれらのデータを記憶部４０８に記憶する（Ｓ５０３）。
【００３４】
以上に述べた処理が、本実施例におけるセットアップ処理に含まれる。
【００３５】
図６は、本実施例における再生処理の流れを示すフローチャートである。データの再生処理が開始された場合、まずシステム制御部４０７は、例えば記憶部４０８に記憶している再生対象領域の最適パワーを読み出し、レーザ制御部４０３を制御することにより、読み出した最適パワーを設定する（Ｓ６０１）。そして最適パワーの下、再生対象領域に記録されているデータを再生する（Ｓ６０２）。 
このように、本発明によれば、再生動作において各記録領域にて最適パワーを設定することにより、良好な再生性能を得ることができる。そして、この最適パワーはセットアップ時に読み出したデータから取得するので、無駄な処理を行う必要がなく効率が良い。
【００３６】
また、例えば２つ以上の記録層から構成される多層ディスクや同一記録層で各領域の記録密度が異なるディスクを想定した場合においても、各記録層や各密度に対する最適パワーをディスク上にあらかじめ記録し、図５、図６に示したような処理を行うことで、各領域にとって最適な再生処理を行うことができる。
【００３７】
なお、図４は本実施例の説明に必要な部位に限って記載している。また、図４に記載した各部位は通常の光ディスク装置に具備される部位である。したがって、図４の記憶部４０８は個別である必要はなく、実際には例えばシステム制御部４０７が使用する書き換え可能な不揮発性メモリの一部領域に割り当ててもよい。
【００３８】
以上説明したように本実施例を用いれば、ディスクに記録されたデータを再生する際に最適パワーが不明であっても、最適パワーをパワー管理領域にあらかじめ記録し、その最適パワーを管理データパワー読み出し、設定した上で再生処理を行うことによってデータを読み取ることができるため、光ディスク装置は適正な再生処理を実行することができる。
【００３９】
なお、本実施例では一般的な光ディスクの物理構造を参考にし、上記説明をしたが、ディスクのフォーマットは従来の方式である必要はなく、構造自体も光ディスクのような構造である必要性はない。つまり、上記説明では光ディスクにおける再生処理を例に挙げたが、再生条件をデータ記録媒体に記録しておき、その条件を読み出して設定することにより、記録されたデータを読み出すことができるのであれば光ディスクに限らず有効である。すなわち、本発明は光ディスクのみならず他のデータ記録媒体においても、各記録領域の再生条件を媒体上に記録し、その条件で再生できる記録領域を有するデータ記録媒体を製造することで、ハードディスクやホログラムメモリなどにおいても実施することができる。
【００４０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４１】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４２】
１０１…再生レーザパワー、  １０２…再生品質指標値、
１０３…再生品質基準値、    １０４、１０５…光ディスクの再生品質特性、
２０１…光ディスク、  ２０２…ＢＣＡ領域
２０３…第１の管理データ領域、２０４…ユーザデータ領域、
２０５…第２の管理データ領域、
４０１…光ディスク、    ４０２…光ピックアップ
４０３…レーザ制御部、    ４０４…再生信号処理部、
４０５…スピンドル制御部、    ４０６…サーボ制御部、
４０７…システム制御部、    ４０８…記憶部
４０９…パワー管理領域、
【図１】
2011198444.tif 000003
【図２】
2011198444.tif 000004
【図３】
2011198444.tif 000005
【図４】
2011198444.tif 000006
【図５】
2011198444.tif 000007
【図６】
2011198444.tif 000008